(57)【要約】      （修正有）【課題】年齢、性別、その個人の体格などにより様々である使用者の頭部の大きさによらず、適宜調節して使用者に適切な使用感を付与する眼鏡フレーム及び眼鏡を提供する。【解決手段】レンズを固定するフロントバーと、テンプル２・２とを備え、フロンバーにおいて、テンプル２・２から延設された第一部材１１・１１と、第一部材１１・１１に対して移動可能である第二部材１２を有することにより、フロントバーが伸縮自在であることを特徴とする眼鏡フレーム、及びその眼鏡フレームに眼鏡レンズを着脱可能に取り付けた眼鏡により解決することができた。【選択図】図１
0003205194.tif 000002
【実用新案登録請求の範囲】
【請求項１】
レンズを固定するフロントバー（１）と、テンプル（２・２）とを備え、
前記フロンバー（１）において、前記テンプル（２・２）から延設された第一部材（１１・１１）と、前記第一部材（１１・１１）に対して移動可能である第二部材（１２）を有することにより、前記フロントバー（１）が伸縮自在であることを特徴とする眼鏡フレーム。
【請求項２】
前記第一部材（１１・１１）と前記第二部材（１２）において一方が他方に挿通されるものであり、挿通される棒状の接続部（１２１）を有する前記第一部材（１１・１１）又は前記第二部材（１２）の端部側において、伸縮方向に垂直な断面における断面積の大きさが場所によって異なっていることを特徴とする請求項１に記載の眼鏡フレーム。
【請求項３】
前記第一部材（１１・１１）と前記第二部材（１２）において一方が他方に挿通されるものであり、挿通される棒状の接続部（１２１）を有する前記第一部材（１１・１１）又は前記第二部材（１２）の端部側において、伸縮方向に垂直な断面における断面積の大きさが、挿通する他方から遠ざかる場所において大きいことを特徴とする請求項１又は請求項２に記載の眼鏡フレーム。
【請求項４】
前記第一部材（１１・１１）と前記第二部材（１２）において一方が他方に挿通されるものであり、挿通される棒状の接続部（１２１）を有する前記第一部材（１１・１１）又は前記第二部材（１２）の端部側において、伸縮方向に垂直な断面における断面積の大きさが、挿通する他方に向かって徐々に小さくなっていることを特徴とする請求項１から請求項３のいずれかに記載の眼鏡フレーム。
【請求項５】
前記接続部（１２１）に設けられた係止部（１２１ａ）と、前記第一部材（１１・１１）又は前記第二部材（１２）の端部側に複数設けられた被係止部（１１１ａ）が係止することにより、前記フロントバー（１）が多段階で伸縮することを特徴とする請求項２から請求項４のいずれかに記載の眼鏡フレーム。
【請求項６】
前記請求項１から請求項５のいずれかに記載の眼鏡フレームにおいて、第二部材（１２）の中央近傍に設けられた窪み（１２２）と、眼鏡レンズ（３）の中央近傍に設けられた突起部（３１）とを備え、
前記窪み（１２２）と前記突起部（３１）とが嵌合することにより一体化されていることを特徴とする眼鏡。
【考案の詳細な説明】
【技術分野】
【０００１】
この考案は、スキー、スノーボード、サイクリング、マラソンなどの使用するスポーツ用サングラスや、建築工事、土木工事、電気工事、化学品製造、科学実験などで用いられる保護眼鏡等として使用することができる眼鏡フレームに関するものである。
【背景技術】
【０００２】
従来、このような保護眼鏡等として使用することができる眼鏡フレームを含む眼鏡としては、種々のものが知られている。
【０００３】
例えば、特許文献１において、レンズ２を固定するフレーム１と、フレーム１の両端に角度調節部材３を介して延設されるテンプル４を備える眼鏡の構成態様が開示されている。なお、当該段落における符号は、特許文献１に記載の符号である。
【０００４】
また、特許文献２において、眼鏡本体１の左右にツル取付部材２を介して左右一対のツル３・３を備える眼鏡の構成態様が開示されている。なお、当該段落における符号は、特許文献２に記載の符号である。
【先行技術文献】
【特許文献】
【０００５】
【特許文献１】特開２００９−１１６０２６号公報
【特許文献２】特開平１１−２３７５８９号公報
【考案の概要】
【考案が解決しようとする課題】
【０００６】
しかしながら、特許文献１及び特許文献２の眼鏡では、眼鏡本体であるフレームの大きさが決まっているために、テンプル間の距離は予め定まっているところ、使用者の頭部の大きさは年齢、性別、その個人の体格などにより様々であるため、それらの多くの人に使用してもらうには種々の大きさを有する眼鏡を予め準備する必要があるが、それぞれの大きさに対応した金型を起こすなどの設備投資が増えるなどの課題があった。
【０００７】
そこで、本考案は、年齢、性別、その個人の体格などにより様々である使用者の頭部の大きさによらず、適宜調節して使用者に適切な使用感を付与する眼鏡フレーム及び眼鏡を提供することを目的としてなされたものである。
【課題を解決するための手段】
【０００８】
〔１〕すなわち、本考案は、レンズを固定するフロントバー（１）と、テンプル（２・２）とを備え、前記フロンバー（１）において、前記テンプル（２・２）から延設された第一部材（１１・１１）と、前記第一部材（１１・１１）に対して移動可能である第二部材（１２）を有することにより、前記フロントバー（１）が伸縮自在であることを特徴とする眼鏡フレームである。
【０００９】
〔２〕そして、前記第一部材（１１・１１）と前記第二部材（１２）において一方が他方に挿通されるものであり、挿通される棒状の接続部（１２１）を有する前記第一部材（１１・１１）又は前記第二部材（１２）の端部側において、伸縮方向に垂直な断面における断面積の大きさが場所によって異なっていることを特徴とする前記〔１〕に記載の眼鏡フレームである。
【００１０】
〔３〕そして、前記第一部材（１１・１１）と前記第二部材（１２）において一方が他方に挿通されるものであり、挿通される棒状の接続部（１２１）を有する前記第一部材（１１・１１）又は前記第二部材（１２）の端部側において、伸縮方向に垂直な断面における断面積の大きさが、挿通する他方から遠ざかる場所において大きいことを特徴とする前記〔１〕又は前記〔２〕に記載の眼鏡フレームである。
【００１１】
〔４〕そして、前記第一部材（１１・１１）と前記第二部材（１２）において一方が他方に挿通されるものであり、挿通される棒状の接続部（１２１）を有する前記第一部材（１１・１１）又は前記第二部材（１２）の端部側において、伸縮方向に垂直な断面における断面積の大きさが、挿通する他方に向かって徐々に小さくなっていることを特徴とする前記〔１〕から前記〔３〕のいずれかに記載の眼鏡フレームである。
【００１２】
〔５〕そして、前記接続部（１２１）に設けられた係止部（１２１ａ）と、前記第一部材（１１・１１）又は前記第二部材（１２）の端部側に複数設けられた被係止部（１１１ａ）が係止することにより、前記フロントバー（１）が多段階で伸縮することを特徴とする前記〔１〕から前記〔４〕のいずれかに記載の眼鏡フレームである。
【００１３】
〔６〕そして、前記請求項１から請求項５のいずれかに記載の眼鏡フレームにおいて、第二部材（１２）の中央近傍に設けられた窪み（１２２）と、眼鏡レンズ（３）の中央近傍に設けられた突起部（３１）とを備え、
前記窪み（１２２）と前記突起部（３１）とが嵌合することにより一体化されていることを特徴とする眼鏡である。
【考案の効果】
【００１４】
本考案によれば、年齢、性別、その個人の体格などにより様々である使用者の頭部の大きさによらず、適宜調節して使用者に適切な使用感を付与することができる。
【図面の簡単な説明】
【００１５】
【図１】本考案の眼鏡フレームの一実施形態に眼鏡レンズを取り付けた眼鏡を示す斜視図である。
【図２】本考案の眼鏡フレームの一実施形態に眼鏡レンズを取り付けた眼鏡を示す平面図である。
【図３】本考案の眼鏡フレームの一実施形態に眼鏡レンズを取り付けた眼鏡を示す正面図である。
【図４】本考案の眼鏡フレームの一実施形態を示す底面図である。
【図５】本考案の眼鏡フレームの一実施形態におけるＡ−Ａ線断面図である。
【図６】本考案の眼鏡フレームの一実施形態における接続部近傍の応力歪を示す図である。
【考案を実施するための形態】
【００１６】
以下、本考案の眼鏡フレーム及び眼鏡に関する実施形態を、図面に基づいて詳細に説明する。なお、請求の範囲における構成要件の後ろの括弧内に示す符号は、本件考案の理解を助けるために本実施形態に対応する符号であるが、本件考案は本実施形態に限定されるものではない。
【００１７】
図１〜５に示すように、本実施形態の眼鏡フレームは、フロントバー１と、テンプル２１を備えており、フロントバー１が角度調節部４を介してテンプル２から延設されている。そして、本実施形態の眼鏡フレームは、眼鏡レンズ３を取り付けて使用することができる。
【００１８】
フロントバー１は、２本のテンプル２・２それぞれの端部から角度調節部４を介して延設された各第一部材１１・１１と、各第一部材１１・１１に対して移動可能である第二部材１２を有し、使用者の額のカーブに沿うような湾曲した棒状の部材であるする。そして、この第二部材１２が第一部材１１・１１に対して移動する構成を備えるため、フロントバー１が長手方向に伸縮自在となる。
【００１９】
具体的には、各第一部材１１・１１と第二部材１２において、第二部材１２の両端に設けられた接続部１２１が、各第一部材１１の端部に設けられた所定の深さの孔に挿通されている。本実施形態において、接続部１２１が第二部材１２の両端に設けられており、その接続部１２１が各第一部材１１・１１に挿通されるものとしているが、他の実施形態において、接続部が各第一部材の端部に設けられており、その接続部が第二部材の端部に設けられた所定の深さの孔に挿通されるようにすることもできる。
【００２０】
そして、第二部材１２の両端に設けられた接続部１２１が位置する端部側において、フロントバー１の伸縮方向に垂直な断面における断面積の大きさが、挿通する他方である第一部材１１・１１から遠ざかる場所において大きく、より具体的には、その伸縮方向に垂直な断面における断面積の大きさが、挿通する他方である第一部材１１・１１に向かって徐々に小さくなっている。すなわち、第二部材１２において、中央近傍における太さが、両端に位置する接続部１２１の太さよりも太く、その境界で段差が生じており、さらに具体的には中央近傍から接続部１２１側に向かい徐々に細くなるように段差が生じている。また、他の実施形態において、接続部が各第一部材の端部に設け、その接続部が第二部材の端部に設けられた所定の深さの孔に挿通されるようにすれば、同様に、その第一部材に設けた接続部が、フロントバー１の伸縮方向に垂直な断面における断面積の大きさが、挿通する他方である第二部材から遠ざかる場所において大きく、より具体的には、その伸縮方向に垂直な断面における断面積の大きさが、挿通する他方である第二部材に向かって徐々に小さくなるようになる。
【００２１】
このように、第二部材１２において、中央近傍における太さが、両端に位置する接続部１２１の太さよりも太くすることなどにより、接続部１２１を第一部材１１・１１の端部の孔に挿通したときに、第二部材１２における接続部１２１以外の部分の太さと第一部材１１・１１の太さとをそろえ易くなるため、使用者が眼鏡フレームを着用したときに接続部１２１が目立ちにくくなり、第一部材１１・１１と第二部材１２とが一体であるような印象を与えることができる。
【００２２】
さらに、第二部材１２において、中央近傍における太さが、中央近傍から接続部１２１側に向かい徐々に細くなるようにすることにより、テンプル２・２の間隔を広げるように力を加えたときに、第二部材１２における中央近傍と接続部１２１との境界付近に発生する応力を分散することができるため、第二部材１２における中央近傍と接続部１２１との境界で亀裂や分裂などの破損が生じることを防止することができる。また、第二部材１２において、中央近傍から接続部１２１側に向かい徐々に断面積が小さくなるとは、緩やかな連続的な傾斜をもって断面積が小さくなることだけでなく、複数の細かい段差によって不連続的な傾斜をもって断面積が小さくなることも含むものである。
【００２３】
また、図４に示すように、フロントバー１における第二部材１２の中央近傍には、短手方向に穿設された２個の窪み１２２・１２２を備え、また、窪み１２２よりも接続部側に第二部材１２との間に隙間を有する２個の爪部１２３・１２３を備えている。このようにして、窪み１２２が眼鏡レンズ３の中央近傍に設けられた突起部３１と嵌合して、眼鏡レンズ３と第二部材１２が一体化される。また、そのとき、爪部１２３が眼鏡レンズ３の周縁を第二部材１２の本体とで挟持することによって、より眼鏡レンズ３が第二部材１２から外れにくくなる。このように、第二部材１２から眼鏡レンズ３を簡便に着脱することができるので、使用による経時変化によって眼鏡レンズ３に傷が生じたり、変質したり、曇りが生じたりしたときには新しい眼鏡レンズと取り換えて使用することができる。
【００２４】
さらに、図２などに示すように、接続部１２１には、表面から隆起した係止部１２１ａが設けられている。そして、第一部材１１・１１における接続部１２１を挿通する端部側に係止部１２１ａと係止する突起状の被係止部１１１ａが複数設けられている。この係止部１２１ａと複数の被係止部１１１ａが係止することにより、フロントバー１が多段階で伸縮する。本実施形態では、対向する一対の被係止部１１１ａが２個あるため、係止部１２１ａとの係止により、フロントバー１が３段階で伸縮する。
【００２５】
そして、フロントバー１を構成する各第一部材１１・１１及び第二部材１２の材質は、ナイロン６、ナイロン６，６などのナイロンからなることが好ましい。
【００２６】
テンプル２は、角度調整部４を介してフロントバー１の第一部材１１・１１に延設され、材使用者の耳に掛けたり、使用者の頭部に密着させたりする棒状の部材である。また、テンプル２は、左右一対存在する部材である。そして、本実施形態において、テンプル２は、使用者の頭部に沿うよう緩やかに湾曲した形状を有し、使用者の耳に掛かる部分において使用者の耳の輪郭に沿うようにより大きく湾曲した形状を有している。
【００２７】
また、第一部材１１・１１側とは反対側である使用者の耳に掛ける側のテンプル２の端部が、柔軟性を有する部材からなる耳保護部２１として構成されている。これにより、長時間眼鏡フレームを着用していたとしても、使用者は耳の痛みを感じにくくなる。
【００２８】
そして、テンプル２の材質は、耳保護部２１を除いてナイロン６、ナイロン６，６などのナイロンからなることが好ましい。また、保護部２１の材質は、塩化ビニルなどの柔軟性を有するものであることが好ましい。
【００２９】
眼鏡レンズ３は、フロントバー１に固定され、使用者の目を覆う透明の部材である。図１などに示すように、本実施形態において、眼鏡レンズ３は、使用者の目を保護する目的して設計された例あるため、着用したときに使用者の顔の方向に向かって延びる庇３２を含む態様となっているが、他の実施形態において、庇３２を含まないものとしてもよい。
【００３０】
眼鏡レンズ３の中央近傍には２個の突起部３１を備えている。このようにして、突起部３１が第二部材１２の中央近傍に設けられた窪み１２２と嵌合して、眼鏡レンズ３と第二部材１２が一体化される。なお、本実施形態において、突起部３１は、眼鏡レンズ３の一部である庇３２に設けられているが、庇３２を有さない他の実施形態において眼鏡レンズの周縁に設けることができる。
【００３１】
そして、眼鏡レンズ３の材質は、ポリカーボネートなどフロントバー１より強度の大きい部材からなることが好ましい。
【００３２】
角度調節部４は、フロントバー１とテンプル２の間に設けられ、フロントバー１とテンプル２における図２における紙面前後方向の角度又は図３における上下方向の角度を、多段階に調節する部材である。図示しないフロントバー１の端部における円弧状に配設されたギザギザ状の凹凸に対して、図示しない角度調節部４の内部に設けられた係止爪が係止して、端部でテンプル２と接続された角度調節部４が、フロントバー１の端部に対して多段階に回動することにより、使用者の所望の角度となるように調節することができる。
【００３３】
第二部材１２における使用者の頭部側の一部と嵌合する柔軟性を有する頭部保護部５を備えている。第二部材１２の中央近傍において、図５に示しように、頭部保護部５が第二部材１２の一部と嵌合しているために、長時間眼鏡フレームを着用していたとしても、使用者は額などの頭部の痛みを感じにくくなる。
【００３４】
そして、頭部保護部５の材質は、塩化ビニルなどの柔軟性を有するものであることが好ましい。
【００３５】
図６は、本実施形態において、各テンプル２・２の間隔を広げるように力を加えたときに、第二部材１２における中央近傍と接続部１２１との境界付近に発生する応力を、三次元ＣＡＤソフトウエア（ＤＡＳＳＡＵＬＴ  ＳＹＳＴＥＭＥＳ社の３Ｄ  ＣＡＤソフト「ＳＯＬＩＤ  ＷＯＲＫＳ」）にてシミュレーションしたときの図である。色の濃淡により掛かる応力の分布を示しており、第二部材１２における中央近傍と接続部１２１との境界付近でもっとも歪が生じているが、そこから第二部材１２における中央近傍及び接続部１２１に向かって均等に応力が分散していることにより、徐々に応力が緩和され亀裂や分裂などの破損が生じることをより防止することができる。
【００３６】
また、各テンプル２・２の耳保護部２１・２１を、図２における左右方向に、それらの間隔が８０ｍｍから２９０ｍｍとなるよう繰り返し広げたり狭めたりする試験を行って、第二部材１２における中央近傍と接続部１２１との境界付近に生じる応力により亀裂や分裂などの破損が生じるか否かの試験を行った。その結果、各耳保護部２１・２１の間隔が８０ｍｍから２９０ｍｍとなるよう１０００回繰り返しても、破断どころか亀裂すら生じなかった。これにより、第二部材１２において、とりわけ中央近傍における太さが中央近傍から接続部１２１側に向かい徐々に細くなるようにすることにより、各テンプル２・２を乱暴に扱ったとしても破損しない丈夫なフロントバー１となることを確認することができた。
【符号の説明】
【００３７】
１・・・フロントバー
１１・・・第一部材
１１１ａ・・・被係止部
１２・・・第二部材
１２１・・・接続部
１２１ａ・・・係止部
１２２・・・窪み
１２３・・・爪部
２・・・テンプル
２１・・・耳保護部
３・・・眼鏡レンズ
３１・・・突起部
３２・・・庇
４・・・角度調節部
５・・・頭部保護部
【図１】
0003205194.tif 000003
【図２】
0003205194.tif 000004
【図３】
0003205194.tif 000005
【図４】
0003205194.tif 000006
【図５】
0003205194.tif 000007
【図６】
0003205194.tif 000008